(57)【要約】【課題】シャッター幕の劣化を防止する。【解決手段】半透過ミラーは、レンズを介して入射する入射光の光路上に配置され、入射光の一部を反射し、他の一部を透過させる。記録用イメージセンサは、半透過ミラーを透過した入射光を受光して画像を撮像する。また、半透過ミラーと記録用イメージセンサとの間に、シャッター後幕およびシャッター先幕が配置されており、シャッター先幕は、通常時に記録用イメージセンサを遮光している。ライブビュー用イメージセンサの画像から、半透過ミラーで反射した入射光に基づいて、入射光の強度が検出され、その検出結果から、入射光の強度が規定値以上である場合、シャッター先幕が開かれた状態となるように駆動される。本開示は、例えば、光路上に半透過ミラーが配置されたデジタルスチルカメラに適用できる。【選択図】図１
2012220545.tif 000002
【特許請求の範囲】
【請求項１】
レンズを介して入射する入射光の光路上に配置され、前記入射光の一部を反射し、他の一部を透過させる反射透過部と、
前記反射透過部を透過した入射光を受光して、画像を撮像する撮像部と、
前記反射透過部と前記撮像部との間に配置され、前記撮像部を露光する露光時間に従って開閉動作を行い、通常時に前記撮像部を遮光するシャッター部と、
前記反射透過部で反射した入射光に基づいて、前記入射光の強度を検出する検出部と、
前記検出部による検出結果から、前記入射光の強度が規定値以上である場合、前記シャッター部が開放状態となるように制御する制御部と
を備える撮像装置。
【請求項２】
ユーザの操作に応じた操作信号を出力する操作部と、
前記レンズを介して入射する前記入射光の光量を調整する光量調整部と
をさらに備え、
前記制御部は、ユーザによる操作が一定時間以上行われない場合、前記光量調整部により前記入射光の光量を制限し、その制限の後、前記入射光の強度が制限状態での規定値以上であるとき、前記シャッター部が開放状態となるように制御する
請求項１に記載の撮像装置。
【請求項３】
前記レンズを介して入射する前記入射光の光量を調整する光量調整部をさらに備え、
前記制御部は、前記入射光の強度が規定値以上である場合、前記光量調整部により前記入射光の光量を制限し、その制限の後、前記入射光の強度が制限状態での規定値以上であることが継続しているとき、前記シャッター部が開放状態となるように制御する
請求項１に記載の撮像装置。
【請求項４】
ユーザに対する警告を行う警告部をさらに備え、
前記制御部は、前記入射光の強度が規定値以上である場合、前記光量調整部により前記入射光の光量を制限するとともに、前記警告部による警告を行い、その警告の後、前記入射光の強度が制限状態での規定値以上であることが継続しているとき、前記シャッター部が開放状態となるように制御する
請求項３に記載の撮像装置。
【請求項５】
前記警告部は、画像を表示する表示部に警告メッセージを表示すること、および、警告音を出力することのうちの、少なくともいずれか一方により警告を行う
請求項４に記載の撮像装置。
【請求項６】
前記検出部は、前記反射透過部で反射した入射光を受光して、リアルタイムに被写体を観察するための画像を撮像する第２の撮像部である
請求項１に記載の撮像装置。
【請求項７】
前記制御部は、前記規定値以上の前記入射光が検出されたタイミングから所定の一定時間が経過したときに、前記シャッター部が開放状態となるように制御する
請求項１に記載の撮像装置。
【請求項８】
前記レンズにより集光される前記入射光の焦点を調整する焦点調整部をさらに備え、
前記制御部は、前記焦点調整部による焦点の調整に従い、前記シャッター部への前記入射光の集光度合いに応じて、前記シャッター部の開閉動作を制御する
請求項１に記載の撮像装置。
【請求項９】
前記シャッター部は、前記露光時間に従って連動して駆動する１組のシャッター幕により構成されており、
前記制御部は、前記一組のシャッター幕のうちの、通常時に前記撮像部を遮光しているシャッター幕を、前記入射光の強度が規定値以上である場合に開くことにより前記シャッター部を開放状態とする
請求項１に記載の撮像装置。
【請求項１０】
レンズを介して入射する入射光の光路上に配置され、前記入射光の一部を反射し、他の一部を透過させる反射透過部と、
前記反射透過部を透過した入射光を受光して、画像を撮像する撮像部と、
前記反射透過部と前記撮像部との間に配置され、前記撮像部を露光する露光時間に従って開閉動作を行い、通常時に前記撮像部を遮光するシャッター部と、
前記反射透過部で反射した入射光に基づいて、前記入射光の強度を検出する検出部と
を備える撮像装置の制御方法において、
前記検出部による検出結果から、前記入射光の強度が規定値以上である場合、前記シャッター部が開放状態となるように制御する
ステップを含む制御方法。
【請求項１１】
レンズを介して入射する入射光の光路上に配置され、前記入射光の一部を反射し、他の一部を透過させる反射透過部と、
前記反射透過部を透過した入射光を受光して、画像を撮像する撮像部と、
前記反射透過部と前記撮像部との間に配置され、前記撮像部を露光する露光時間に従って開閉動作を行い、通常時に前記撮像部を遮光するシャッター部と、
前記反射透過部で反射した入射光に基づいて、前記入射光の強度を検出する検出部と
を備える撮像装置を制御するコンピュータに実行させるプログラムにおいて、
前記検出部による検出結果から、前記入射光の強度が規定値以上である場合、前記シャッター部が開放状態となるように制御する
ステップを含む処理をコンピュータに実行させるプログラム。
【発明の詳細な説明】
【技術分野】
【０００１】
本開示は、撮像装置、制御方法、およびプログラムに関し、特に、シャッター幕の劣化を防止することができるようにした撮像装置、制御方法、およびプログラムに関する。
【背景技術】
【０００２】
従来、一眼レフタイプのデジタルスチルカメラでは、撮像光路内に配置されたミラーで反射した光により、リアルタイムに被写体を観察するための画像（以下、適宜、ライブビュー画像と称する）が取得され、電子ビューファインダーまたは背面パネルに表示される。そして、ユーザがシャッターボタンを操作すると、撮像光路内のミラーが持ち上げられるとともに、撮像用のイメージセンサの手前に配置されたシャッター幕がシャッタスピードに応じて開かれることで、撮像用のイメージセンサが露光され、静止画像が取得される。
【０００３】
また、近年、撮像光路内に半透過ミラーが配置された撮像装置が開発されている。この撮像装置では、半透過ミラーで反射した光によりライブビュー画像を取得する一方、半透過ミラーを透過した光により静止画像の撮像が行われる。
【０００４】
例えば、特許文献１で開示されている一眼レフレックスカメラでは、撮像光路内に半透過ミラーが配置されており、半透過型ミラーで反射した光によりライブビュー画像が取得される。また、半透過型ミラーを透過した光は、フィルムの手前に配置されているフォーカルプレーンシャッタに常に照射されており、撮像時に、そのフォーカルプレーンシャッタが開かれてフィルムが露光され、画像が撮像される。
【先行技術文献】
【特許文献】
【０００５】
【特許文献１】特開２００１−１３３８４６号公報
【発明の概要】
【発明が解決しようとする課題】
【０００６】
ところで、撮像光路内に半透過ミラーが配置された構成の撮像装置では、半透過ミラーを透過した光がシャッター幕に常に照射されているため、例えば、撮像装置のレンズが太陽に向けられると、レンズによって直射日光がシャッター幕に集光される。これにより、シャッター幕の温度が上昇してシャッター幕が劣化（損傷）する、いわゆる幕焼けが発生する恐れがあった。
【０００７】
本開示は、このような状況に鑑みてなされたものであり、シャッター幕の劣化を防止することができるようにするものである。
【課題を解決するための手段】
【０００８】
本開示の一側面の撮像装置は、レンズを介して入射する入射光の光路上に配置され、前記入射光の一部を反射し、他の一部を透過させる反射透過部と、前記反射透過部を透過した入射光を受光して、画像を撮像する撮像部と、前記反射透過部と前記撮像部との間に配置され、前記撮像部を露光する露光時間に従って開閉動作を行い、通常時に前記撮像部を遮光するシャッター部と、前記反射透過部で反射した入射光に基づいて、前記入射光の強度を検出する検出部と、前記検出部による検出結果から、前記入射光の強度が規定値以上である場合、前記シャッター部が開放状態となるように制御する制御部とを備える。
【０００９】
本開示の一側面の制御方法またはプログラムは、レンズを介して入射する入射光の光路上に配置され、前記入射光の一部を反射し、他の一部を透過させる反射透過部と、前記反射透過部を透過した入射光を受光して、画像を撮像する撮像部と、前記反射透過部と前記撮像部との間に配置され、前記撮像部を露光する露光時間に従って開閉動作を行い、通常時に前記撮像部を遮光するシャッター部と、前記反射透過部で反射した入射光に基づいて、前記入射光の強度を検出する検出部とを備える撮像装置の制御方法、または、その撮像装置を制御するコンピュータに実行させるプログラムであって、前記検出部による検出結果から、前記入射光の強度が規定値以上である場合、前記シャッター部が開放状態となるように制御するステップを含む。
【００１０】
本開示の一側面においては、反射透過部は、レンズを介して入射する入射光の光路上に配置されており、入射光の一部を反射し、他の一部を透過させる。撮像部は、反射透過部を透過した入射光を受光して、画像を撮像する。シャッター部は、反射透過部と撮像部との間に配置されており、撮像部を露光する露光時間に従って開閉動作を行い、通常時に撮像部を遮光する。検出部は、反射透過部で反射した入射光に基づいて、入射光の強度を検出する。そして、検出部による検出結果から、入射光の強度が規定値以上である場合、シャッター部が開放状態となるように制御される。
【発明の効果】
【００１１】
本開示の一側面によれば、シャッター幕の劣化を防止することができる。
【図面の簡単な説明】
【００１２】
【図１】本技術を適用した撮像装置の第１の実施の形態の構成例を示す断面図である。
【図２】撮像装置の構成例を示すブロック図である。
【図３】幕焼けを防止する第１の処理例を説明するフローチャートである。
【図４】本技術を適用した撮像装置の第２の実施の形態の構成例を示す断面図である。
【図５】幕焼けを防止する第２の処理例を説明するフローチャートである。
【図６】幕焼けを防止する第３の処理例を説明するフローチャートである。
【発明を実施するための形態】
【００１３】
以下、本技術を適用した具体的な実施の形態について、図面を参照しながら詳細に説明する。
【００１４】
図１は、本技術を適用した撮像装置の第１の実施の形態の構成例を示す断面図である。図１Ａには、シャッターが閉鎖された状態の撮像装置が示されており、図１Ｂには、シャッターが開放された状態の撮像装置が示されている。
【００１５】
図１において、撮像装置１１は、カメラボディ１２にレンズ部１３が装着されて構成されており、被写体１４からの光は、レンズ部１３に収納されている光学系１５の光軸（図１に示されている一点鎖線の矢印）に沿ってカメラボディ１２の内部に導入される。
【００１６】
カメラボディ１２は、半透過ミラー３１、シャッター後幕３２、シャッター先幕３３、記録用イメージセンサ３４、ライブビュー用イメージセンサ３５、電子ビューファインダー３６、および背面表示部３７を備えて構成される。
【００１７】
半透過ミラー３１は、レンズ部１３の光学系１５の光軸に対して略４５°の角度となるように、その光路上に配置されている。半透過ミラー３１は、レンズ部１３の光学系１５の光軸に沿ってカメラボディ１２に入射される入射光の一部を反射することにより、その入射光を、図１に示されている矢印ａおよび矢印ｂそれぞれへ向かう２方向に分岐する。例えば、半透過ミラー３１により、入射光の一部（例えば、３０％未満）は、ライブビュー用イメージセンサ３５の方向（矢印ａ）に向かって反射され、入射光の他の一部分（例えば、７０％以上）は、記録用イメージセンサ３４の方向（矢印ｂ）に向かって透過する。
【００１８】
また、半透過ミラー３１は、カメラボディ１２の内部で固定されており、つまり、可動部として構成されておらず、カメラボディ１２に入射される入射光を、常に、２方向に分岐する。
【００１９】
シャッター後幕３２およびシャッター先幕３３は、記録用イメージセンサ３４の前方に、つまり、半透過ミラー３１と記録用イメージセンサ３４との間に配置される。そして、シャッター後幕３２およびシャッター先幕３３は、シャッター速度（露光時間）に従って開閉動作を行うことで、記録用イメージセンサ３４の露光を機械的に制御するメカニカルフォーカルプレーンシャッターを構成する。例えば、図１Ａに示すように、シャッター先幕３３が閉じた状態では、記録用イメージセンサ３４は遮光されている。一方、図１Ｂに示すように、シャッター後幕３２およびシャッター先幕３３が開いた状態とされると、記録用イメージセンサ３４が露光される。
【００２０】
記録用イメージセンサ３４は、CCD（Charge Coupled Device）やCMOS(Complementary Metal Oxide Semiconductor)センサなどの撮像素子を有して構成される。記録用イメージセンサ３４は、ユーザのシャッター操作に従って、記録媒体（例えば、図２の記録媒体６５）に記録するための画像（静止画像または動画像）を撮像する。例えば、記録用イメージセンサ３４は、シャッター後幕３２およびシャッター先幕３３が開放される時間（露光時間）で、半透過ミラー３１を透過した光を受光し、静止画像の撮像を行う。
【００２１】
ライブビュー用イメージセンサ３５は、CCDやCMOSセンサなどの撮像素子を有して構成され、半透過ミラー３１により反射された入射光を常に受光し、ライブビュー画像を撮像する。つまり、撮像装置１１では、記録用イメージセンサ３４およびライブビュー用イメージセンサ３５の両方を常に独立して露光することが可能とされている。このため、記録用イメージセンサ３４により静止画像の撮像が行われているときにも、ライブビュー用イメージセンサ３５によるライブビュー画像の撮像を行うことができる。
【００２２】
電子ビューファインダー３６は、小型表示部４１、接眼レンズ４２、およびファインダー部４３を有して構成され、ユーザは、電子ビューファインダー３６を覗き込むことで被写体１４の確認を行う。
【００２３】
小型表示部４１は、カメラボディ１２内部に収納可能な液晶ディスプレイや有機ＥＬ（Electro Luminescence）などにより構成されており、ライブビュー用イメージセンサ３５により撮像されたライブビュー画像を表示する。接眼レンズ４２は、小型表示部４１に表示されるライブビュー画像に焦点を合わせるためのレンズであり、ファインダー部４３は、ユーザが小型表示部４１を覗き込むための窓である。
【００２４】
背面表示部３７は、小型表示部４１よりも大型の液晶ディスプレイや有機ＥＬなどにより構成されており、ライブビュー用イメージセンサ３５により撮像されたライブビュー画像を表示する。ユーザは、電子ビューファインダー３６の代わりに背面表示部３７により被写体１４を確認することができる。
【００２５】
このように構成されている撮像装置１１では、通常時には、図１Ａに示すように、シャッター先幕３３が閉じられた状態とされ、記録用イメージセンサ３４は遮光されている。そして、ユーザがシャッターボタン（図示せず）を操作すると、図１Ｂに示すように、シャッター先幕３３が駆動して開かれた状態とされ、記録用イメージセンサ３４の露光が開始される。そして、シャッター後幕３２が、シャッター速度に応じ、シャッター先幕３３に連動して閉じられることで、記録用イメージセンサ３４の露光が完了される。
【００２６】
次に、図２は、撮像装置１１の構成例を示すブロック図である。
【００２７】
撮像装置１１では、CPU（Central Processing Unit）５１，ROM（Read Only Memory）５２，RAM（Random Access Memory）５３、フラッシュメモリ（例えば、EEPROM（Electronically Erasable and Programmable Read Only Memory））５４が、バス５５により相互に接続されている。そして、CPU５１が、ROM５２またはフラッシュメモリ５４に記憶されているプログラムをRAM５３にロードして実行することで、撮像装置１１の各部が制御される。
【００２８】
また、バス５５には、入出力インタフェース５６が接続されている。入出力インタフェース５６には、操作部５７、センサ部５８、画像処理部５９、表示駆動部６０、シャッター駆動部６１、フォーカス駆動部６２、音声出力部６３、およびドライブ６４が接続されている。
【００２９】
操作部５７は、例えば、カメラボディ１２の外側に配設されたシャッターボタンやファンクションダイヤル（図示せず）などからなり、ユーザの操作に応じた操作信号をCPU５１に供給する。
【００３０】
センサ部５８は、例えば、撮像装置１１の撮像時における手振れを検出するための加速度センサや、撮像装置１１の水平度を検知する水準器などの各種のセンサを有して構成される。センサ部５８は、それらのセンサから出力される信号をCPU５１に供給する。
【００３１】
画像処理部５９は、記録用イメージセンサ３４およびライブビュー用イメージセンサ３５から出力される画像信号に対して、ホワイトバランス調整、ノイズ除去、圧縮処理などの各種の信号処理を施す。例えば、画像処理部５９は、記録用イメージセンサ３４からの画像信号に画像処理を施した結果得られる画像データを、入出力インタフェース５６およびドライブ６４を介して記録媒体６５に記録させる。
【００３２】
また、画像処理部５９は、ライブビュー用イメージセンサ３５からの画像信号に画像処理を施し、その結果得られるライブビュー画像を背面表示部３７または小型表示部４１に表示させる。さらに、画像処理部５９は、露出を自動的に決定する機能（ＡＥ：Automatic Exposure）を備えており、ライブビュー用イメージセンサ３５からの画像信号に基づいて、ライブビュー用イメージセンサ３５に照射される光の強度を検出する。そして、画像処理部５９は、ライブビュー用イメージセンサ３５の一部に既定の強度（規定値）以上の強い光が照射されていることを検出すると、レンズ部１３の光学系１５を介してカメラボディ１２内に、直射日光が入射していると判断する。これにより、画像処理部５９は、直射日光が入射していると判断している間、直射日光の入射を警告する信号をCPU５１に供給する。
【００３３】
表示駆動部６０は、背面表示部３７または小型表示部４１を駆動して、ライブビュー用イメージセンサ３５により撮像されたライブビュー画像を、背面表示部３７または小型表示部４１に表示させる。また、表示駆動部６０は、CPU５１の制御に従って、各種のメッセージを背面表示部３７または小型表示部４１に表示させる。
【００３４】
シャッター駆動部６１は、CPU５１の制御に従って、シャッター後幕３２およびシャッター先幕３３の開閉動作を行う。例えば、シャッター駆動部６１は、画像処理部５９がレンズ部１３の光学系１５を介して直射日光が入射していることを検出したとき、CPU５１の制御に従って、シャッター先幕３３が開かれた状態となるように駆動する。
【００３５】
フォーカス駆動部６２は、CPU５１の制御に従って、レンズ部１３の光学系１５が有するフォーカスレンズを駆動し、記録用イメージセンサ３４に対する被写体１４の像のフォーカスを調整する。また、CPU５１は、フォーカス駆動部６２によるフォーカスの状態を把握しており、例えば、記録用イメージセンサ３４の手前にあるシャッター先幕３３に対するフォーカス度合いを検知することができる。
【００３６】
音声出力部６３は、例えば、電子的なシャッター音などを発するスピーカであり、CPU５１の制御に従って、各種の音声や警告音などを出力する。
【００３７】
ドライブ６４には、記録媒体６５が着脱可能であり、ドライブ６４は、装着された記録媒体６５に対して、記録用イメージセンサ３４により撮像された画像に応じた画像データを記録する。
【００３８】
このように構成される撮像装置１１では、例えば、CPU５１が、プログラムに従って各種の処理を実行し、例えば、シャッター先幕３３の幕焼けを防止する処理を実行する。即ち、撮像装置１１では、通常時には、シャッター先幕３３が閉じられた状態とされているので、レンズ部１３の光学系１５を介して入射する入射光が、常に、シャッター先幕３３に照射される状態となっている。そのため、レンズ部１３の光学系１５を介して直射日光が入射すると、光学系１５により直射日光が集光されることにより、シャッター先幕３３に幕焼けが発生することが想定される。
【００３９】
例えば、ユーザが、撮像装置１１による撮像を行っている最中に、意図せずに撮像装置１１のレンズ部１３を太陽に向けたとき、画像処理部５９は、直射日光の入射を警告する信号を出力する。その後、CPU５１が、シャッター先幕３３の幕焼けを防止する条件が揃ったと判断すると、シャッター駆動部６１によりシャッター先幕３３が開かれた状態とされ、シャッター先幕３３の幕焼けが防止される。
【００４０】
次に、図３は、シャッター先幕３３の幕焼けを防止する第１の処理例を説明するフローチャートである。例えば、ユーザの操作に応じて撮像装置１１に電源が投入されて撮像可能な状態になると処理が開始される。
【００４１】
ステップＳ１１において、CPU５１は、画像処理部５９からの信号に基づいて、レンズ部１３の光学系１５を介して直射日光が入射しているか否かを判定し、直射日光が入射していると判定するまで処理を待機する。そして、画像処理部５９が直射日光の入射を警告する信号を出力すると、CPU５１は、レンズ部１３の光学系１５を介して直射日光が入射していると判定し、処理はステップＳ１２に進む。
【００４２】
ステップＳ１２において、CPU５１は、画像処理部５９が直射日光の入射を警告する信号の出力を開始してから一定時間が経過したか否かを判定し、一定時間が経過していないと判定した場合、処理はステップＳ１１に戻る。即ち、画像処理部５９は、直射日光が入射していると判断している間、直射日光の入射を警告する信号を出力し続けており、直射日光の入射を警告する信号が一定時間出力され続けるまで、処理が待機される。ここで、一定時間は、例えば、シャッター先幕３３の材質に応じて設計時に求められており、その材質の強度や耐熱性などに従って幕焼けの発生することのない時間に設定され、例えば、１秒程度、好ましくは数100ｍ秒程度の時間に設定される。
【００４３】
ステップＳ１２において、CPU５１が、画像処理部５９が直射日光の入射を警告する信号の出力を開始してから一定時間が経過したと判定した場合、処理はステップＳ１３に進む。即ち、この場合、CPU５１は、直射日光が一定時間より長く連続して入射していることから、シャッター先幕３３の幕焼けを防止する条件が揃ったと判断する。
【００４４】
ステップＳ１３において、CPU５１は、シャッター駆動部６１に対してシャッター先幕３３を開くように制御を行う。これに従って、シャッター駆動部６１は、シャッター先幕３３を駆動して開かれた状態とし、処理はステップＳ１４に進む。
【００４５】
ステップＳ１４において、CPU５１は、画像処理部５９からの信号に基づいて、レンズ部１３の光学系１５を介して直射日光が入射しない状態となったか否かを判定し、直射日光が入射しない状態となったと判定するまで処理を待機する。例えば、画像処理部５９が直射日光の入射を警告する信号の出力を停止すると、ステップＳ１４において、CPU５１は、レンズ部１３の光学系１５を介して直射日光が入射しない状態となったと判定し、処理はステップＳ１５に進む。
【００４６】
ステップＳ１５において、CPU５１は、シャッター駆動部６１に対してシャッター先幕３３を閉じるように制御を行う。これに従って、シャッター駆動部６１は、シャッター先幕３３を駆動して閉じられた状態とし、処理はステップＳ１１に戻って、以下、同様の処理が繰り返される。
【００４７】
以上のように、撮像装置１１では、レンズ部１３の光学系１５を介して直射日光が一定時間より長く連続して入射している場合には、シャッター先幕３３が開かれた状態となるので、シャッター先幕３３の幕焼けを防止することができる。また、シャッター先幕３３が開かれた状態とするまでに、一定時間を設けることにより、シャッター先幕３３の開閉が頻繁に行われるような事態を回避することができる。
【００４８】
つまり、レンズ部１３の光学系１５の光軸上に半透過ミラー３１が配置された構成の撮像装置１１では、半透過ミラー３１を透過した光がシャッター先幕３３に常に照射される構造となっている。このため、ユーザが意図せずに撮像装置１１のレンズ部１３を太陽に向けたとき、直射日光がレンズ部１３により集光されることによってシャッター先幕３３に幕焼けが発生する恐れがあった。これに対し、撮像装置１１では、上述のような処理を実行することで、シャッター先幕３３の幕焼けを防止し、シャッター先幕３３の劣化を回避することができる。
【００４９】
なお、例えば、通常時に、シャッター先幕３３が開かれた状態とすることで、シャッター先幕３３の幕焼けの発生を回避することができると想定される。しかしながら、通常時に、シャッター先幕３３が開かれた状態とした場合には、撮像時に、シャッター先幕３３を一旦閉じた状態とした後に、シャッター後幕３２およびシャッター先幕３３をシャッター速度に応じて連動して駆動する必要がある。従って、この場合、ユーザがシャッターボタンを押してから撮像が開始されるまでの時間、いわゆるレリーズタイムラグが長くなってしまい、撮像装置１１の操作性（レスポンス）が悪化してしまう。さらに、この場合、シャッター先幕３３を一旦閉じた状態とする際の駆動音に、ユーザが違和感を覚えることがある。
【００５０】
これに対し、撮像装置１１では、通常時に、シャッター先幕３３が閉じられた状態とされているので、レリーズタイムラグが長くなることを回避すること、即ち、既存の一眼レフタイプの撮像装置と同等のレリーズタイムラグを実現することができる。さらに、シャッター先幕３３を一旦閉じた状態とするための駆動音が発生することもない。従って、撮像装置１１では、より良い操作性を提供することができるとともに、駆動音にユーザが違和感を覚えることを回避することができる。
【００５１】
また、撮像装置１１では、直射日光によるシャッター先幕３３の幕焼けを防止する条件として、例えば、レンズ部１３の光学系１５のフォーカス状態を使用することができる。上述したように、CPU５１は、フォーカス駆動部６２を駆動してフォーカスを調整する際に、シャッター先幕３３に対するフォーカス度合いを検知することができる。従って、CPU５１は、シャッター先幕３３にフォーカスが合っている場合に、シャッター先幕３３の幕焼けを防止する必要があると判断することができる。
【００５２】
つまり、シャッター先幕３３にフォーカスが合っていない場合には、直射日光の集光度合いが低減するためシャッター先幕３３に幕焼けが発生する可能性が低下する。従って、この場合には、CPU５１は、シャッター先幕３３の幕焼けを防止する条件が揃っていないと判断することができる。
【００５３】
なお、シャッター先幕３３にフォーカスが合っていない場合であっても、直射日光が長時間照射されている場合には、シャッター先幕３３に幕焼けが発生する可能性がある。このため、CPU５１は、シャッター先幕３３にフォーカスが合っていない場合には、シャッター先幕３３の幕焼けを防止する条件が揃ったと判断するまでの時間を長く設定し、その時間が経過したときには、シャッター先幕３３を開くように制御を行う。
【００５４】
さらに、CPU５１は、シャッター先幕３３にフォーカスが合っている場合において、画像処理部５９が直射日光の入射を警告する信号の出力を開始してから一定時間が経過したと判定すると、シャッター先幕３３からフォーカスをずらすように、フォーカス駆動部６２を制御してもよい。例えば、CPU５１は、焦点距離がシャッター先幕３３から遠くなる方向へフォーカスを移動させる。これにより、レンズ部１３の光学系１５を介して直射日光が入射してから、シャッター先幕３３を開くまでの時間を長く設定することができる。このように、シャッター先幕３３を開くまでの時間を長くすることで、シャッター先幕３３の開閉が頻繁に行われるような事態を回避することができる。
【００５５】
また、CPU５１は、直射日光の入射を検知してシャッター先幕３３を開いた状態とした後、設定された規定時間が経過した後に、シャッター先幕３３を閉じるように制御してもよい。
【００５６】
なお、シャッター先幕３３に幕焼けが発生することを抑制するために、レンズ部１３の光学系１５を介してカメラボディ１２に入射する光の光量を制限してもよい。
【００５７】
図４は、本技術を適用した撮像装置の第２の実施の形態の構成例を示す断面図である。図４Ａには、シャッターが閉鎖された状態の撮像装置が示されており、図４Ｂには、シャッターが開放された状態の撮像装置が示されている。
【００５８】
図４において、撮像装置１１’は、図１の撮像装置１１と同様に、カメラボディ１２’にレンズ部１３’が装着されて構成されている。また、カメラボディ１２’が、半透過ミラー３１、シャッター後幕３２、シャッター先幕３３、記録用イメージセンサ３４、ライブビュー用イメージセンサ３５、電子ビューファインダー３６、および背面表示部３７を備える点で、図１の撮像装置１１と共通しており、以下、共通する点についての詳細な説明は省略する。
【００５９】
即ち、撮像装置１１’は、絞り７１、絞り駆動機構７２、および絞り駆動モータ７３を備える点で、図１の撮像装置１１と異なる構成となっている。なお、図４では、図２のCPU５１が図示されている。
【００６０】
絞り７１は、レンズ部１３’の内部に配置された複数枚の開閉可能な羽部材により構成されており、レンズ部１３’の光学系１５を通過した光のうちの、カメラボディ１２’の内部に入射する光の光量を調整する。絞り駆動機構７２は、駆動モータ７３の動力を絞り７１に伝達するための機構である。駆動モータ７３は、CPU５１の制御に従って、絞り７１を開閉駆動するための動力を発生する。
【００６１】
このように構成されている撮像装置１１’は、例えば、ユーザが操作を一定時間以上行わない場合に、即ち、撮影を行わない状態が一定時間以上継続された場合、絞り７１を最大限に絞ることによって、カメラボディ１２’の内部に入射する光の光量が制限される。このように、入射光の光量を予め制限することで、ユーザが、意図せずに撮像装置１１のレンズ部１３’を太陽に向けたとしても、直射日光が集光されることによってシャッター先幕３３に幕焼けが発生する可能性を低減させることができる。
【００６２】
次に、図５は、シャッター先幕３３の幕焼けを防止する第２の処理例を説明するフローチャートである。例えば、ユーザの操作に応じて撮像装置１１’に電源が投入されて撮像可能な状態になると処理が開始される。
【００６３】
ステップＳ２１において、CPU５１は、操作部５７（図２）からの信号に基づいて、ユーザによる操作があったか否かを判定し、ユーザによる操作があったと判定した場合には処理を待機する。例えば、ユーザが、カメラボディ１２の外側に配設されたシャッターボタンやファンクションダイヤル（図示せず）などを操作すると、それらの操作に応じた操作信号が、操作部５７からCPU５１に供給され、CPU５１は、ユーザによる操作があったと判定する。
【００６４】
ステップＳ２１において、CPU５１が、ユーザによる操作がなかったと判定した場合、即ち、操作部５７から操作信号が供給されなかった場合、処理はステップＳ２２に進む。
【００６５】
ステップＳ２２において、CPU５１は、ユーザによる操作が行われなくなってから一定時間が経過したか否かを判定し、一定時間が経過していないと判定した場合、処理はステップＳ２１に戻る。例えば、CPU５１は、図示しないタイマーにより、ステップＳ２１でユーザによる操作があったと最後に判定したタイミングからの時刻を計時しており、ユーザによる操作が行われなくなったタイミングから一定時間が経過するまで処理を待機する。
【００６６】
ステップＳ２２において、ユーザによる操作が行われなくなってから一定時間が経過したと判定された場合、処理はステップＳ２３に進み、CPU５１は、絞り７１を最大限に絞るように、駆動モータ７３に対して制御を行う。これにより、駆動モータ７３は、絞り駆動機構７２を介して絞り７１を駆動し、絞り７１が最大限に絞られた状態とする。また、このとき、CPU５１は、絞り７１を最大限に絞る前の絞り量を記憶しておく。
【００６７】
ステップＳ２３の処理後、処理はステップＳ２４に進み、CPU５１は、操作部５７からの信号に基づいて、ユーザによる操作があったか否かを判定する。ステップＳ２４において、CPU５１が、ユーザによる操作があったと判定した場合、即ち、操作部５７からCPU５１に操作信号が供給された場合、処理はステップＳ２５に進む。
【００６８】
ステップＳ２５において、CPU５１は、絞り７１がステップＳ２３で最大限に絞る前の絞り量となるように、駆動モータ７３に対して制御を行う。これにより、駆動モータ７３は、絞り駆動機構７２を介して絞り７１を駆動し、ステップＳ２３で絞り７１の絞り量を最大限に絞る前の状態に戻す。そして、ステップＳ２５の処理後、処理はステップＳ２１に戻り、以下、同様の処理が繰り返される。
【００６９】
一方、ステップＳ２４において、ユーザによる操作がなかったと判定された場合、処理はステップＳ２６に進み、CPU５１は、画像処理部５９からの信号に基づいて、レンズ部１３’の光学系１５を介して直射日光が入射しているか否かを判定する。なお、このとき、画像処理部５９は、絞り７１が最大限に絞られた状態での直射日光の判断を行う既定の強度（規定値）に基づいて、直射日光が入射しているか否かを判断する。
【００７０】
ステップＳ２６において、CPU５１が、レンズ部１３’の光学系１５を介して直射日光が入射していないと判定した場合、処理はステップＳ２４に戻る。即ち、ステップＳ２４およびＳ２６の処理により、ユーザによる操作があったと判定されるか、レンズ部１３’の光学系１５を介して直射日光が入射していると判定されるまで、処理が待機される。
【００７１】
例えば、画像処理部５９が直射日光の入射を警告する信号を出力すると、CPU５１は、レンズ部１３’の光学系１５を介して直射日光が入射していると判定し、処理はステップＳ２７に進む。
【００７２】
ステップＳ２７において、CPU５１は、画像処理部５９が直射日光の入射を警告する信号の出力を開始してから一定時間が経過したか否かを判定し、一定時間が経過していないと判定した場合、処理はステップＳ２６に戻る。即ち、直射日光の入射を警告する信号が一定時間出力され続けるか、直射日光の入射を警告する信号の出力が停止されるまで、処理が待機される。ここで、一定時間は、絞り７１が最大限に絞られた状態での光量によってシャッター先幕３３に幕焼けの発生することのない時間が設計時に求められて設定されている。なお、この一定時間は、光量が少ない状態におけるものであるので、例えば、図３のステップＳ１２の判定で使用される一定時間よりも長く設定されている。
【００７３】
ステップＳ２７において、CPU５１が、画像処理部５９が直射日光の入射を警告する信号の出力を開始してから一定時間が経過したと判定した場合、処理はステップＳ２８に進み、CPU５１は、シャッター駆動部６１に対してシャッター先幕３３を開くように制御を行う。これに従って、シャッター駆動部６１は、シャッター先幕３３を駆動して開かれた状態とし、処理はステップＳ２９に進む。
【００７４】
ステップＳ２９において、CPU５１は、操作部５７からの信号に基づいて、ユーザによる操作があったか否かを判定する。ステップＳ２９において、CPU５１が、ユーザによる操作がなかったと判定した場合、即ち、操作部５７からCPU５１に操作信号が供給されていない場合、処理はステップＳ３０に進む。
【００７５】
ステップＳ３０において、CPU５１は、画像処理部５９からの信号に基づいて、レンズ部１３’の光学系１５を介して直射日光が入射しない状態となったか否かを判定する。
【００７６】
例えば、画像処理部５９が直射日光の入射を警告する信号の出力を継続している間、ステップＳ３０において、CPU５１は、レンズ部１３’の光学系１５を介して直射日光が入射しない状態となっていない（即ち、直射日光が入射し続けている）と判定する。この場合、処理はステップＳ２９に戻り、以下、同様の処理が繰り返される。即ち、ステップＳ２９において、ユーザによる操作があったと判定されるか、ステップＳ３０において、直射日光が入射しない状態となったと判定されるまで、処理が待機される。
【００７７】
そして、ステップＳ２９において、ユーザによる操作があったと判定された場合、または、ステップＳ３０において、直射日光が入射しない状態となったと判定された場合、処理はステップＳ３１に進む。
【００７８】
ステップＳ３１において、CPU５１は、シャッター駆動部６１に対してシャッター先幕３３を閉じるように制御を行う。これに従って、シャッター駆動部６１は、シャッター先幕３３を駆動して閉じられた状態として、処理はステップＳ２５に進み、絞り７１の絞り量を最大限に絞る前の状態に戻す。その後、処理はステップＳ２１に戻って、以下、同様の処理が繰り返される。
【００７９】
以上のように、撮像装置１１’では、ユーザによる操作がない場合には、絞り７１を最大限に絞った状態として、入射光の光量を予め制限することにより、シャッター先幕３３の幕焼けの発生を予備的に防止することができる。さらに、直射日光が一定時間より長く連続して入射している場合には、シャッター先幕３３を開くことにより、シャッター先幕３３の幕焼けを防止することができる。このように、撮像装置１１’では、シャッター先幕３３の損傷を防止することができる。
【００８０】
なお、図４の撮像装置１１’では、カメラボディ１２’の内部に駆動モータ７３が配置されているが、撮像装置１１’は、駆動モータ７３がレンズ部１３’の内部に配置される構成としてもよい。このように構成された撮像装置１１’では、カメラボディ１２’の内部のCPU５１から出力される電気信号が、レンズ部１３’の内部の駆動モータ７３に伝達され、絞り７１の制御が行われる。
【００８１】
また、ステップＳ２１において、ユーザによる操作があったか否かを判定するのと共に、センサ部５８から出力される信号に基づいて、例えば、ユーザが撮像装置１１を保持しているか否か、即ち、撮像装置１１が振動しているか否かを判定してもよい。そして、撮像装置１１が振動していると判定された場合には、ユーザによる操作があったと判定された場合と同様に、処理を待機することができる。これにより、ユーザが、例えば、撮像装置１１を保持して良好なアングルを探しているときなどに、絞り７１が自動的に絞られた状態となることを回避することができる。
【００８２】
さらに、撮像装置１１’では、絞り７１が最大限に絞られることにより、電子ビューファインダー３６または背面表示部３７に表示されるライブビュー画像が変化して暗くなる。このようなライブビュー画像の変化により、ライブビュー画像を視認しているユーザに対して、レンズ部１３’の光学系１５を介して直射日光が入射していることを気付かせることができる。これにより、ユーザが、撮像装置１１’の向きを変更させて直射日光の入射を回避させることによっても、シャッター先幕３３の幕焼けを防止することができる。
【００８３】
なお、このようなライブビュー画像の変化だけでなく、撮像装置１１’が、ユーザに対して積極的に、レンズ部１３’の光学系１５を介して直射日光が入射していること警告してもよい。
【００８４】
次に、図６は、シャッター先幕３３の幕焼けを防止する第３の処理例を説明するフローチャートである。例えば、ユーザの操作に応じて撮像装置１１’に電源が投入されて撮像可能な状態になると処理が開始される。
【００８５】
ステップＳ４１において、CPU５１は、画像処理部５９からの信号に基づいて、レンズ部１３’の光学系１５を介して直射日光が入射しているか否かを判定し、直射日光が入射していると判定するまで処理を待機する。そして、画像処理部５９が直射日光の入射を警告する信号を出力すると、CPU５１は、レンズ部１３’の光学系１５を介して直射日光が入射していると判定し、処理はステップＳ４２に進む。
【００８６】
ステップＳ４２において、CPU５１は、画像処理部５９が直射日光の入射を警告する信号の出力を開始してから一定時間が経過したか否かを判定し、一定時間が経過していないと判定した場合、処理はステップＳ４１に戻る。即ち、画像処理部５９は、直射日光が入射していると判断している間、直射日光の入射を警告する信号を出力し続けており、直射日光の入射を警告する信号が一定時間出力され続けるまで、処理が待機される。なお、この一定時間は、例えば、図３のステップＳ１２の判定で使用される一定時間よりも短く設定されている。
【００８７】
ステップＳ４２において、CPU５１が、画像処理部５９が直射日光の入射を警告する信号の出力を開始してから一定時間が経過したと判定した場合、処理はステップＳ４３に進む。
【００８８】
ステップＳ４３において、CPU５１は、絞り７１を最大限に絞るように、駆動モータ７３に対して制御を行い、駆動モータ７３が絞り駆動機構７２を介して絞り７１を駆動し、絞り７１が最大限に絞られた状態とする。また、このとき、CPU５１は、絞り７１を最大限に絞る前の絞り量を記憶しておく。
【００８９】
ステップＳ４３の処理後、処理はステップＳ４４に進み、CPU５１は、レンズ部１３’の光学系１５を介して直射日光が入射していることをユーザに対して警告する。例えば、CPU５１は、ユーザへ注意を促す警告メッセージ「直射日光の入射を避けて下さい」を背面表示部３７または小型表示部４１に表示するように、表示駆動部６０に対する制御を行う。また、CPU５１は、ユーザへ注意を促す警告音を出力するように音声出力部６３に対する制御を行う。このように、背面表示部３７または小型表示部４１に表示されるメッセージ、または、音声出力部６３から出力される警告音によって、ユーザに対する警告が行われる。
【００９０】
ステップＳ４４の処理後、処理はステップＳ４５に進み、CPU５１は、画像処理部５９からの信号に基づいて、レンズ部１３’の光学系１５を介して直射日光の入射が継続しているか否かを判定する。なお、このとき、画像処理部５９は、絞り７１が最大限に絞られた状態での直射日光の判断を行う既定の強度（規定値）に基づいて、直射日光が入射しているか否かを判断する。
【００９１】
ステップＳ４５において、直射日光の入射が継続していないと判定された場合、処理はステップＳ４６に進み、CPU５１は、ステップＳ４４で行ったユーザに対する警告を停止する。つまり、背面表示部３７または小型表示部４１のメッセージを消去（非表示）し、音声出力部６３からの警告音の出力を停止する。
【００９２】
ステップＳ４６の処理後、処理はステップＳ４７に進み、CPU５１は、絞り７１がステップＳ４３で最大限に絞る前の絞り量となるように、駆動モータ７３に対して制御を行う。これにより、駆動モータ７３は、絞り駆動機構７２を介して絞り７１を駆動し、絞り７１の絞り量を最大限に絞る前の状態に戻す。そして、ステップＳ４７の処理後、処理はステップＳ４１に戻り、以下、同様の処理が繰り返される。
【００９３】
一方、ステップＳ４５において、CPU５１が、直射日光の入射が継続していると判定した場合、処理はステップＳ４８に進む。
【００９４】
ステップＳ４８において、CPU５１は、画像処理部５９が直射日光の入射を警告する信号の出力を開始してから一定時間が経過したか否かを判定し、一定時間が経過していないと判定した場合、処理はステップＳ４５に戻る。即ち、ステップＳ４５で直射日光の入射が継続していないと判定されるか、ステップＳ４８で一定時間が経過したと判定されるまで処理が待機される。ここで、この一定時間は、ステップＳ４２の判定で使用される一定時間と加算したときに、絞り７１による光量の変化も考慮してシャッター先幕３３に幕焼けが発生することのない時間となるように設定される。
【００９５】
一方、ステップＳ４８において、CPU５１が、画像処理部５９が直射日光の入射を警告する信号の出力を開始してから一定時間が経過したと判定した場合、処理はステップＳ４９に進む。即ち、この場合、CPU５１は、直射日光が一定時間以上連続して入射していることから、直射日光によるシャッター先幕３３の幕焼けを防止する条件が揃ったと判断する。
【００９６】
ステップＳ４９において、CPU５１は、シャッター駆動部６１に対してシャッター先幕３３を開くように制御を行う。これに従って、シャッター駆動部６１は、シャッター先幕３３を駆動して開かれた状態とし、処理はステップＳ５０に進む。
【００９７】
ステップＳ５０において、CPU５１は、画像処理部５９からの信号に基づいて、レンズ部１３’の光学系１５を介して直射日光が入射しない状態となったか否かを判定し、直射日光が入射しない状態となったと判定するまで処理を待機する。
【００９８】
例えば、ユーザが、ステップＳ４４で行われた警告によって、撮像装置１１’の向きを変更させ、レンズ部１３’の光学系１５を介して直射日光の入射が行われないようにすると、画像処理部５９は直射日光の入射を警告する信号の出力を停止する。これにより、ステップＳ５０において、CPU５１は、レンズ部１３’の光学系１５を介して直射日光が入射しない状態となったと判定し、処理はステップＳ５１に進む。
【００９９】
ステップＳ５１において、CPU５１は、シャッター駆動部６１に対してシャッター先幕３３を閉じるように制御を行う。これに従って、シャッター駆動部６１は、シャッター先幕３３を駆動して閉じられた状態とする。その後、処理はステップＳ４６およびＳ４７に進み、上述したように、ユーザに対する警告が停止され、絞り７１の絞り量が最大限に絞る前の状態に戻される。そして、ステップＳ４７の処理後、処理はステップＳ４１に戻り、以下、同様の処理が繰り返される。
【０１００】
以上のように、撮像装置１１’では、レンズ部１３の光学系１５を介して直射日光が入射したときに、ユーザに対する警告を行うので、直射日光の入射を素早く回避させることができる。また、このとき、絞り７１を最大限に絞った状態として、入射光の光量を制限することにより、シャッター先幕３３の幕焼けの発生を抑制することができる。さらに、直射日光が一定時間より長く連続して入射している場合には、シャッター先幕３３を開くことにより、シャッター先幕３３の幕焼けを防止することができる。このように、撮像装置１１’では、シャッター先幕３３の損傷を防止することができる。
【０１０１】
なお、ユーザによる警告は、警告メッセージの表示または警告音の出力のいずれか一方だけでもよい。
【０１０２】
また、本実施の形態では、撮像装置１１に電源が投入されている間、シャッター先幕３３の幕焼けを防止する処理が実行され続けている。これに対し、例えば、CPU５１は、時間帯に応じて、直射日光が入射する可能性のある昼間の時間帯だけ、シャッター先幕３３の幕焼けを防止する処理を実行してもよい。また、CPU５１は、センサ部５８から出力される信号に基づいて、撮像装置１１が水平よりも上側を向いているときだけ、シャッター先幕３３の幕焼けを防止する処理を実行してもよい。
【０１０３】
また、撮像装置１１に設定されている撮像モードに基づいて、直射日光が入射する可能性が低い場合、例えば、ポートレートを撮像するモードである場合には処理を停止し、直射日光が入射する可能性が高い場合、例えば、風景を撮像するモードである場合には処理を実行することができる。また、撮影装置１１が位置測定機能を備えている場合、撮影装置１１が屋内であると測定された場合、処理を停止することができる。このように処理の実行を限定することで、撮像装置１１の電力消費を抑制することができる。
【０１０４】
また、撮影装置１１では、ライブビュー用イメージセンサ３５により撮像された画像に基づいて、直射日光の入射を検出しているが、例えば、撮影装置１１に内蔵された他の光センサにより直射日光の入射を検出してもよい。また、シャッター後幕３２およびシャッター先幕３３が組み合わされて構成されるメカニカルなシャッターの他、例えば、電子シャッターとシャッター先幕３３とが組み合わされて構成されるシャッターにも適用することができる。
【０１０５】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。また、プログラムは、１のCPUにより処理されるものであっても良いし、複数のCPUによって分散処理されるものであっても良い。
【０１０６】
また、CPU５１が実行するプログラムは、あらかじめROM５２またはフラッシュメモリ５４に記憶されているものの他、適宜、フラッシュメモリ５４にダウンロードして更新することができる。
【０１０７】
なお、本技術は以下のような構成も取ることができる。
（１）
レンズを介して入射する入射光の光路上に配置され、前記入射光の一部を反射し、他の一部を透過させる反射透過部と、
前記反射透過部を透過した入射光を受光して、画像を撮像する撮像部と、
前記反射透過部と前記撮像部との間に配置され、前記撮像部を露光する露光時間に従って開閉動作を行い、通常時に前記撮像部を遮光するシャッター部と、
前記反射透過部で反射した入射光に基づいて、前記入射光の強度を検出する検出部と、
前記検出部による検出結果から、前記入射光の強度が規定値以上である場合、前記シャッター部が開放状態となるように制御する制御部と
を備える撮像装置。
（２）
ユーザの操作に応じた操作信号を出力する操作部と、
前記レンズを介して入射する前記入射光の光量を調整する光量調整部と
をさらに備え、
前記制御部は、ユーザによる操作が一定時間以上行われない場合、前記光量調整部により前記入射光の光量を制限し、その制限の後、前記入射光の強度が制限状態での規定値以上であるとき、前記シャッター部が開放状態となるように制御する
前記（１）に記載の撮像装置。
（３）
前記レンズを介して入射する前記入射光の光量を調整する光量調整部をさらに備え、
前記制御部は、前記入射光の強度が規定値以上である場合、前記光量調整部により前記入射光の光量を制限し、その制限の後、前記入射光の強度が制限状態での規定値以上であることが継続しているとき、前記シャッター部が開放状態となるように制御する
前記（１）または（２）に記載の撮像装置。
（４）
ユーザに対する警告を行う警告部をさらに備え、
前記制御部は、前記入射光の強度が規定値以上である場合、前記光量調整部により前記入射光の光量を制限するとともに、前記警告部による警告を行い、その警告の後、前記入射光の強度が制限状態での規定値以上であることが継続しているとき、前記シャッター部が開放状態となるように制御する
前記（１）から（３）のいずれかに記載の撮像装置。
（５）
前記警告部は、画像を表示する表示部に警告メッセージを表示すること、および、警告音を出力することのうちの、少なくともいずれか一方により警告を行う
前記（１）から（４）のいずれかに記載の撮像装置。
（６）
前記検出部は、前記反射透過部で反射した入射光を受光して、リアルタイムに被写体を観察するための画像を撮像する第２の撮像部である
前記（１）から（５）のいずれかにに記載の撮像装置。
（７）
前記制御部は、前記規定値以上の前記入射光が検出されたタイミングから所定の一定時間が経過したときに、前記シャッター部が開放状態となるように制御する
前記（１）から（６）のいずれかにに記載の撮像装置。
（８）
前記レンズにより集光される前記入射光の焦点を調整する焦点調整部をさらに備え、
前記制御部は、前記焦点調整部による焦点の調整に従い、前記シャッター部への前記入射光の集光度合いに応じて、前記シャッター部の開閉動作を制御する
前記（１）から（７）のいずれかにに記載の撮像装置。
（９）
前記シャッター部は、前記露光時間に従って連動して駆動する１組のシャッター幕により構成されており、
前記制御部は、前記一組のシャッター幕のうちの、通常時に前記撮像部を遮光しているシャッター幕を、前記入射光の強度が規定値以上である場合に開くことにより前記シャッター部を開放状態とする
前記（１）から（８）のいずれかにに記載の撮像装置。
【０１０８】
なお、本技術の実施の形態は、上述した実施の形態に限定されるものではなく、本技術の要旨を逸脱しない範囲において種々の変更が可能である。
【符号の説明】
【０１０９】
１１  撮像装置，  １２  カメラボディ，  １３  レンズ部，  １４  被写体，  １５  光学系，  ３１  半透過ミラー，  ３２  シャッター後幕，  ３３  シャッター先幕，  ３４  記録用イメージセンサ，  ３５  ライブビュー用イメージセンサ，  ３６  電子ビューファインダー，  ３７  背面表示部，  ４１  小型表示部，  ４２  接眼レンズ，  ４３  ファインダー部，  ５１  CPU，  ５２  ROM，  ５３  RAM，  ５４  フラッシュメモリ，  ５５  バス，  ５６  入出力インタフェース，  ５７  操作部，  ５８  センサ部，  ５９  画像処理部，  ６０  表示駆動部，  ６１  シャッター駆動部，  ６２  フォーカス駆動部，  ６３  音声出力部，  ６４  ドライブ，  ６５  記録媒体，  ７１  絞り，  ７２  絞り駆動機構，  ７３  絞り駆動モータ
【図１】
2012220545.tif 000003
【図２】
2012220545.tif 000004
【図３】
2012220545.tif 000005
【図４】
2012220545.tif 000006
【図５】
2012220545.tif 000007
【図６】
2012220545.tif 000008